(57)【要約】【課題】本発明は、拡張カードを回路基板に固定することができる拡張カード固定装置を提供することを目的とする。【解決手段】本発明に係る拡張カード固定装置は回路基板に接続される拡張カードを前記回路基板に固定する際に使用され、回路基板上に固定された定位部及び拡張カードを収容する収容部を備え、前記定位部は、前記収容部を挿通する装着片を備え、前記装着片には、窪み部が設けられ、前記収容部からは前記窪みに係合できる突出部が突出している。【選択図】図１
2014229308.tif 000002
【特許請求の範囲】
【請求項１】
回路基板上に固定される定位部と、
拡張カードを収容する収容部と、
を備え、前記回路基板に接続される前記拡張カードを前記回路基板に固定する拡張カード固定装置であって、
前記定位部は、前記収容部を挿通する装着片を備えることを特徴とする拡張カード固定装置。
【請求項２】
前記収容部は、第一固定部品及び前記第一固定部品に装着される第二固定部品を備え、前記拡張カードは前記第一固定部品と前記第二固定部品との間に収容され、前記第一固定部品は、前記拡張カードに当接される基板を備え、前記基板には、前記拡張カードから突出するピンが挿入される通孔が設けられていることを特徴とする請求項１に記載の拡張カード固定装置。
【請求項３】
前記第二固定部品は本体部を備え、前記基板の両端からは前記本体部に向けて端片がそれぞれ延出し、前記本体部からは前記端片にそれぞれ係合するフック部が延出していることを特徴とする請求項２に記載の拡張カード固定装置。
【請求項４】
前記第一固定部品及び前記第二固定部品の上端には側板がそれぞれ設置され、前記側板には拡張カードに設置されたランプを共に収容する収容溝がそれぞれ設けられていることを特徴とする請求項２又は３に記載の拡張カード固定装置。
【請求項５】
前記基板の底端には、前記回路基板に当接する二つの第一支持部が設置され、前記本体部の底端には、前記回路基板に当接する二つの第二支持部が設置され、前記拡張カードのコネクタは、前記第一支持部と前記第二支持部との間に収容されることを特徴とする請求項３に記載の拡張カード固定装置。
【請求項６】
前記装着片には、窪み部が設けられ、前記収容部からは前記窪みに係合できる突出部が突出していることを特徴とする請求項１から５の何れか一項に記載の拡張カード固定装置。
【請求項７】
前記収容部は、対向する２つのＬ字状を呈する挟み部を備え、前記装着片は前記挟み部の間を挿通することを特徴とする請求項１から６の何れか一項に記載の拡張カード固定装置。
【発明の詳細な説明】
【技術分野】
【０００１】
本発明は、拡張カード固定装置に関するものである。
【背景技術】
【０００２】
従来の技術において、拡張カードのコネクタは、回路基板上に設置されたコネクタに接続された後、回路基板に固定されないので、振動を受けると回路基板から離脱することがある。この場合、回路基板と拡張カードとの間に流れる電気信号も中断されてしまう。
【発明の概要】
【発明が解決しようとする課題】
【０００３】
本発明の目的は、前記問題を解決し、拡張カードを回路基板に固定することができる拡張カード固定装置を提供することである。
【課題を解決するための手段】
【０００４】
上記目的を達成するために、本発明に係る拡張カード固定装置は回路基板に接続される拡張カードを前記回路基板に固定する際に使用され、回路基板上に固定された定位部及び拡張カードを収容する収容部を備え、前記定位部は、前記収容部を挿通する装着片を備え、前記装着片には、窪み部が設けられ、前記収容部からは前記窪み部に係合できる突出部が突出している。
【発明の効果】
【０００５】
本発明に係る拡張カード固定装置は、拡張カードを収容する収容部に回路基板に設置された装着片を挿通させ且つ係合させることによって、拡張カードを回路基板に有効に固定することができる。
【図面の簡単な説明】
【０００６】
【図１】本発明の実施形態に係る拡張カード固定装置の分解斜視図である。
【図２】図１に示す拡張カード固定装置の別の視角からの分解斜視図である。
【図３】図１に示す拡張カード固定装置の組立斜視図である。
【図４】図３に示す拡張カード固定装置の別の視角からの組立斜視図である。
【発明を実施するための形態】
【０００７】
図１〜図２に示したように、本発明の実施形態に係る拡張カード固定装置は、拡張カード１００を回路基板１０に固定する際に使用され、拡張カード１００を収容する収容部２と、定位部３と、を備える。本実施形態において、収容部２は、第一固定部品２０及び第二固定部品３０を備える。
【０００８】
回路基板１０には、第一コネクタ１２が設置されている。定位部３は、第一コネクタ１２に隣接して回路基板１０上に固定されている固定片１３と、固定片１３から上方へ垂直に延伸する装着片１４と、を備える。装着片１４の第一コネクタ１２に面する側には、窪み部１４２が設けられている。
【０００９】
第一固定部品２０は、基板２１と、基板２１の一側から垂直に延出する側板２２と、基板２１の長手方向両端からそれぞれ延出する二つの端片２３と、端片２３の側板２２と離れる端から互いに向けて垂直に延伸した後、側板２２と離れるようにそれぞれ延伸する２つのＬ字状を呈する支持部２４と、支持部２４の間に連接されたバー２５と、を備える。基板２１には、２つの通孔２１２が設けられており、側板２２の基板２１と離れる側辺には、半円を呈する収容溝２２１が設けられている。また、各端片２３の内側には、係合孔２３２がそれぞれ設けられ、各端片２３の外側には、滑り止め部２３３が設けられている。
【００１０】
第二固定部品３０は、本体部３１、本体部３１の一側から垂直に延出する側板３２と、本体部３１の長手方向両端からそれぞれ延出する二つの端片３３と、該端片３３の側板３２と離れる端から互いに向けて垂直に延伸した後、側板３２と離れるようにそれぞれ延伸する２つのＬ字状を呈する支持部３４と、を備える。本体部３１の内側において端片３３に隣接する箇所には、本体部３１から垂直に突出するフック部３５がそれぞれ設置されている。本体部３１の外側には、Ｌ字状を呈し且つ対向する２つの挟み部３６が設置されている。本体部３１の外側において、挟み部３６の間には、突出部３７が突出している。側板３２の本体部３１と離れる側辺には、半円を呈する収容溝３２１が設けられており、各端片３３の外側には、滑り止め部３３３が設置されている。
【００１１】
拡張カード１００の一側の底部には、第二コネクタ１０１が設置され、拡張カード１００の同側の上端にはランプ１０２が設置されている。第二コネクタ１０１は、拡張カード１００を貫通し、拡張カード１００の他側から突出するピン１０１２を備える。第二コネクタ１０１は拡張カード１００に溶接される。
【００１２】
図３及び図４に示したように、拡張カード１００を回路基板１０に装着する際、先ず、拡張カード１００を第一固定部品２０に収容する。ピン１０１２は通孔２１２を貫通し、拡張カード１００は基板２１の内側に当接され、第二コネクタ１０１はバー２５に当接され、ランプ１０２の一部は収容溝２２１内に収容される。次いで、第二固定部品３０を第一固定部品２０に装着する。この際、フック部３５は係合孔２３２にそれぞれ係合され、第二コネクタ１０１は支持部２４と支持部３４との間に挟まれる。ランプ１０２は収容溝２２１及び収容溝３２１内に収容され、収容部２から露出する。次いで、収容部２及び拡張カード１００を回路基板１０に向けて移動させ、第二コネクタ１０１を第一コネクタ１２に接続させる。この際、支持部２４及び支持部３４は回路基板１０に当接され、収容部２を支持する。次いで、装着片１４を挟み部３６の間で下から上へ挿通させ、突出部３７を窪み部１４２に係合させる。
【符号の説明】
【００１３】
１０  回路基板
１００  拡張カード
１０１  第二コネクタ
１０１２  ピン
１０２  ランプ
１２  第一コネクタ
１３  固定片
１４  装着片
１４２  窪み部
２  収容部
２０  第一固定部品
２１  基板
２１２  通孔
２２、３２  側板
２２１、３２１  収容溝
２３、３３  端片
２３２  係合孔
２３３、３３３  滑り止め部
２４、３４  支持部
２５  バー
３  定位部
３０  第二固定部品
３１  本体部
３５  フック部
３６  挟み部
３７  突出部
【図１】
2014229308.tif 000003
【図２】
2014229308.tif 000004
【図３】
2014229308.tif 000005
【図４】
2014229308.tif 000006